(57)【要約】【課題】簡単な構造で、安価で施工性に優れ、雨風が内部にまで流入しにくい棟換気用部材を提供する。【解決手段】頂部に固定部１を備え、側壁に換気口２を有する門型部材３からなり、該門型部材３の下部に取付部４を設け、更に、前記換気口２の外側に、排水口２０を有する遮蔽部１９を立設したことを特徴とする棟換気装置。【選択図】　　　　図１
2004036166.tif 000002
【特許請求の範囲】
【請求項１】
頂部に固定部を備え、側壁に換気口を有する門型部材からなり、該門型部材の下部に取付部を設け、更に、前記換気口の外側に、排水口を有する遮蔽部を立設したことを特徴とする棟換気装置。
【請求項２】
遮蔽部が下部に排水口を有する板状体からなり、取付部に設けられた請求項１記載の棟換気装置。
【請求項３】
遮蔽部が、斜降部と該斜降部の端部より立設された垂直部とからなり、該斜降部と該垂直部との角部付近に排水口を有する略Ｌ字状体からなり、門型部材の換気口の下部の側壁に設けられた請求項１記載の棟換気装置。
【請求項４】
固定部が少なくとも２層の積層構造からなる請求項１〜３のいずれか１項に記載の棟換気装置。
【請求項５】
固定部の両側に斜降した突縁部を延設した請求項１又は２記載の棟換気装置。
【請求項６】
斜降した突縁部の端部から、換気口を覆うように壁部を垂設した請求項５記載の棟換気装置。
【請求項７】
アルミ又は樹脂を押出成形したものである請求項１〜６のいずれか１項に記載の棟換気装置。
【請求項８】
略垂直に立設された支持部とその下部に設けた取付部とからなる下部材Ｘと、固定部を備えた上部材Ｙとを、適宜間隔を置いて接続部材Ｚで連結してなり、隣接する接続部材と接続部材との間に形成される空間部を換気路とし、前記換気路の外側に、排水口を有する遮蔽部を立設したことを特徴とする棟換気装置。
【請求項９】
遮蔽部が下部に排水口を有する板状体からなり、取付部に設けてなる請求項８記載の棟換気装置。
【請求項１０】
遮蔽部が、斜降部と該斜降部の端部より立設された垂直部とからなり、該斜降部と該垂直部との角部付近に排水口を有する略Ｌ字状体からなり、換気路の下部の下部材Ｘの支持部に設けてなる請求項８記載の棟換気装置。
【請求項１１】
固定部が少なくとも２層の積層構造からなる請求項８記載の棟換気装置。
【請求項１２】
固定部の両側に斜降した突縁部を延設した請求項８〜１１のいずれか１項に記載の棟換気装置。
【請求項１３】
斜降した突縁部の端部から、換気口を覆うように壁部を垂設した請求項１２記載の棟換気装置。
【請求項１４】
壁部内側に制御壁を設けた請求項１３記載の棟換気装置。
【請求項１５】
接続部材の下方に凹部を設け、該凹部に支持部を嵌合してなる請求項８〜１４のいずれか１項に記載の棟換気装置。
【請求項１６】
支持部に凹凸面を設けた請求項８〜１５のいずれか１項に記載の棟換気装置。
【請求項１７】
アルミ又は樹脂を押出成形したものである請求項８〜１６のいずれか１項に記載の棟換気装置。
【発明の詳細な説明】
【０００１】
【発明の属する技術分野】
本発明は、棟換気装置に関し、更に詳しくは、主として棟瓦と地瓦との隙間から換気する棟換気装置に関する。
【０００２】
【従来の技術】
従来より、棟瓦と地瓦との隙間から換気する棟換気装置としては種々のものが提案されているが、特に屋根の棟部に設けられた換気装置の代表例として特許第２９０１１８０号公報に記載されたものが知られている。
該公報によれば、図２１に示したように、垂木や野地板などからなり両流れ屋根面を形成する屋根地３０の頂部には間隙が設けられ、この間隙は、屋根裏に滞留する熱気や臭気か゛自然上昇力によって上昇し最初に集合して通過する屋根換気通路３１となる。そして屋根換気通路３１を跨ぐように立設させた第１換気口３２を有する補助部材３３が設けられ、さらに、この補助部材３３の外側には隙間を設けて立設するとともに、ここに第２換気口３４を穿設しかつ、中央に棟木３５を支持する棟木支持部材３６が設けられ、これら補助部材３３及び棟木支持部材３６は屋根地３０に釘等（図示せず）によって固定される。
【０００３】
一方、屋根地３０の頂部付近には桟木３７を固定したあと、この桟木３７に沿って桟瓦３８が掛止される。更に、この桟瓦３８の上には密封部材３９を介して第３換気口４０、第４換気口４１を有する通路形成部材４２が釘等によって棟木３５に固定される。そしてこの通路形成部材４２の上に棟瓦４３が載置され、長寸釘、ビス等の固定具４４によって棟木３５に固定され、更に、この棟瓦４３の裏面と通路形成部材４２との間に換気通路４５が形成される。
【０００４】
この構成によって、屋根地の頂部に向かって下から上昇してくる空気は矢印Ｋで示したように屋根換気通路３１を通過した後、第１、第２換気口３２、３４をジグザグに通過し、さらに換気通路４５の第３、第４換気口４０、４１を通過して外に排出される（気流の流れを実線矢印で示す）。
【０００５】
【発明が解決しようとする課題】
しかしながら、上記従来の換気装置では天気が穏やかで風雨が強くないようなときには、屋根地の頂部に向かい換気通路を通る上昇気流は順調に生起し、その換気機能は十分に発揮されるものの、台風時のように風雨が激しいときには、屋根面に沿って斜め下方から吹き上がってきた風雨Ｗが、桟瓦３８と棟瓦４３の瓦先端部４６とで形成される間隙から内側に流入する場合がある。すなわち、強烈な風雨がこの間隙を通過する際、この狭い間隙で一気に加速されるので、雨粒や雨飛沫となって第４、第３の換気口４１、４０、さらに第２、第１換気口３４、３２へと侵入し、ついには屋根換気通路３１へと逆流してくる場合がある（逆流の流れを破線矢印で示す）。
【０００６】
また、上記のように部品数が多く複雑な棟換気用部材を配設して形成される換気装置、構造回りあるいはその周辺に不測の間隙を生じることがある。該間隙は施工中に作用する外力に起因するもの、あるいは経年変化に起因するもの等があるが、このような状態のとき、とりわけ第２換気口３４と第３換気口４０との間に形成される空間などに、逆流時のときの飛沫や湿気成分が付着したり、滞留したり、また上述の間隙に毛細管現象により雨水の侵入を許容し雨漏りを生じたりする場合がある。その結果、天井にしみが発生したり、屋根地３０の棟部付近が腐食するという課題があった。
【０００７】
本発明は上記実情に鑑み、簡単な構造で、台風時のように風雨が激しい場合でも、内部にまでは雨風が流入しにくい、安価で施工性に優れた棟換気用部材を提供することを目的とする。
【０００８】
【課題を解決するための手段】
上記目的を達成するために、本発明の第１は、頂部に固定部を備え、側壁に換気口を有する門型部材からなり、該門型部材の下部に取付部を設け、更に、前記換気口の外側に、排水口を有する遮蔽部を立設したことを特徴とする棟換気装置を内容とする（請求項１）。
【０００９】
好ましい態様としての請求項２は、遮蔽部が下部に排水口を有する板状体からなり、取付部に設けられた請求項１記載の棟換気装置である。
【００１０】
好ましい態様としての請求項３は、遮蔽部が、斜降部と該斜降部の端部より立設された垂直部とからなり、該斜降部と該垂直部との角部付近に排水口を有する略Ｌ字状体からなり、門型部材の換気口の下部の側壁に設けられた請求項１記載の棟換気装置である。
【００１１】
好ましい態様としての請求項４は、固定部が少なくとも２層の積層構造からなる請求項１〜３のいずれか１項に記載の棟換気装置である。
【００１２】
好ましい態様としての請求項５は、固定部の両側に斜降した突縁部を延設した請求項１又は２記載の棟換気装置である。
【００１３】
好ましい態様としての請求項６は、斜降した突縁部の端部から、換気口を覆うように壁部を垂設した請求項５記載の棟換気装置である。
【００１４】
好ましい態様としての請求項７は、アルミ又は樹脂を押出成形したものである請求項１〜６のいずれか１項に記載の棟換気装置である。
【００１５】
また、本発明の第２は、略垂直に立設された支持部とその下部に設けた取付部とからなる下部材Ｘと、固定部を備えた上部材Ｙとを、適宜間隔を置いて接続部材Ｚで連結してなり、隣接する接続部材と接続部材との間に形成される空間部を換気路とし、前記換気路の外側に、排水口を有する遮蔽部を立設したことを特徴とする棟換気装置を内容とする（請求項８）。
【００１６】
好ましい態様としての請求項９は、遮蔽部が下部に排水口を有する板状体からなり、取付部に設けてなる請求項８記載の棟換気装置である。
【００１７】
好ましい態様としての請求項１０は、遮蔽部が、斜降部と該斜降部の端部より立設された垂直部とからなり、該斜降部と該垂直部との角部付近に排水口を有する略Ｌ字状体からなり、換気路の下部の下部材Ｘの支持部に設けてなる請求項８記載の棟換気装置である。
【００１８】
好ましい態様としての請求項１１は、固定部が少なくとも２層の積層構造からなる請求項８記載の棟換気装置である。
【００１９】
好ましい態様としての請求項１２は、固定部の両側に斜降した突縁部を延設した請求項８〜１１のいずれか１項に記載の棟換気装置である。
【００２０】
好ましい態様としての請求項１３は、斜降した突縁部の端部から、換気口を覆うように壁部を垂設した請求項１２記載の棟換気装置である。
【００２１】
好ましい態様としての請求項１４は、壁部内側に制御壁を設けた請求項１３記載の棟換気装置である。
【００２２】
好ましい態様としての請求項１５は、接続部材の下方に凹部を設け、該凹部に支持部を嵌合してなる請求項８〜１４のいずれか１項に記載の棟換気装置である。
【００２３】
好ましい態様としての請求項１６は、支持部に凹凸面を設けた請求項８〜１５のいずれか１項に記載の棟換気装置である。
【００２４】
好ましい態様としての請求項１７は、アルミ又は樹脂を押出成形したものである請求項８〜１６のいずれか１項に記載の棟換気装置である。
【００２５】
【作用】
本発明の第１の棟換気装置Ａ１は、門型部材からなり、該門型部材の上部に固定部を設けたことにより、構造が極めて簡略化され、強度も充分である。また、遮蔽部により風雨（主として雨）の流入が阻止される。
【００２６】
本発明の第２の棟換気装置Ａ２は、隣接する接続部材と接続部材との間に形成される空間部を換気路とするため、部材に換気口を形成する必要がなく、下部材Ｘ、上部材Ｙ、接続部材Ｚをそれぞれ押出成形で製造することができるので、大幅なコストダウンが図られる。また、下部材Ｘ及び上部材Ｙを接続部材Ｚにより嵌合してなるので、強度も充分である。また、遮蔽部により風雨（主として雨）の流入が阻止される。
【００２７】
更に、本発明の棟換気装置Ａ１、Ａ２は、いずれも棟木を必要とすることなく、換気用棟瓦を上記棟換気装置の固定部に直接固定するので、施工作業性は飛躍的に向上し、安価な棟換気構造を提供することができる。
【００２８】
【発明の実施の形態】
以下、まず本発明の棟換気装置の実施例を図面に基づいて説明するが、本発明はこれらによりなんら限定されるものではない。
【００２９】
実施例１
実施例１の棟換気装置Ａ１は、図１に示すように、頂部に固定部１を備え、側壁に換気口２を有する門型部材３からなり、該門型部材３の下部には、該棟換気装置Ａ１を屋根下地材に取り付けるための取付部４が設けられ、更に、該取付部４に、下部に排水口２０を有する板状体からなる遮蔽部１９が設けられている。５は、釘、ビス等の固定手段のための孔である。固定部１は、他の部分よりも厚めにしておくことにより、ビス等により強固に固定することが可能となる。棟換気装置Ａ１は、アルミ等の金属の他、プラスチック（ポリプロピレン樹脂、ＡＢＳ樹脂、スチレン系樹脂、塩化ビニル系樹脂、アクリル系樹脂等）の押出成形によるものが強度的、コスト的にも好適である。換気口２は、押出成形した後に穿設加工される。
換気口２の開口面積は特に制限されないが、１ｍ当りの開口面積は、実用上、約１５０ｃｍ２　／ｍ程度に設定・加工されるのが好ましい。換気口２は、作業途中は必要に応じ、粘着テープ等で塞いでおく。
【００３０】
遮蔽部２０は、換気口２からの通気を塞ぐことなく、且つ外部から風雨（主として雨）が該換気口２を通じて室内へ侵入すことを阻止するためのもので、実質的に垂直に設けられるが、少々左右に傾斜していても差し支えない。風雨は一般に斜下方からの吹き付けるので必ずしも換気口２の上方部にまで設ける必要はなく、遮蔽部２０の高さは適宜決定すればよい。
棟瓦と地瓦との隙間から侵入してくる風雨は遮蔽部１９により堰止められ、仮に雨が一部遮蔽部１９の内側に侵入したとしても、排水口２０により外部に排出される。
【００３１】
実施例２
実施例２の棟換気装置Ａ１は、図２に示すように、頂部の固定部１が２層の積層構造からなる他は、上記実施例１の棟換気装置Ａ１と同じである。遮蔽部１９の効果も実施例１の場合と同じである。このように、固定部１を多層とすることにより、ビス等により強固に固定することが可能となる。
【００３２】
実施例３
実施例３の棟換気装置Ａ１は、図３に示すように、固定部１の両側に斜降した突縁部６を延設した他は、上記実施例１の棟換気装置Ａ１と同じである。遮蔽部１９の効果も実施例１と略同様であるが、このように、固定部１の両側に斜降した突縁部６を延設することにより、遮蔽部１９と協働してより効果的に雨や風の侵入を防ぐことができる。
【００３３】
実施例４
実施例４の棟換気装置Ａ１は、図４に示すように、実施例２の棟換気装置Ａ１において、固定部１の両側に斜降した突縁部６を延設するとともに、該突縁部６の端部から、換気口２を覆うように壁部７を垂設した他は、上記実施例２の棟換気装置Ａ１と同じである。遮蔽部１９の効果も実施例１と略同様であるが、このように、斜降した突縁部６の端部から、換気口２を覆うように壁部７を垂設することにより、遮蔽部１９と協働して、矢示したように、ジグザグ状の換気路Ｐが形成され、外部からの雨や風の侵入を一層効果的に防ぐことができる。
【００３４】
実施例５
実施例５の棟換気装置Ａ２は、図５、図６に示すように、略垂直に立設された支持部８とその下部に、該棟換気装置Ａ２を屋根下地材に取り付けるために設けた取付部４とからなる下部材Ｘと、固定部１を備えた上部材Ｙとを、適宜間隔を置いて、向かい合う係合壁１６の略中間部を接続部１７で接合したＨ形状の接続部材Ｚで連結してなり、矢示したように、隣接する接続部材Ｚと接続部材Ｚとの間に形成される空間部を利用して換気路Ｐが形成される。接続部材Ｚを配設する間隔は特に制限されないが、例えば、１０〜５０ｃｍ程度から選ぶことができる。
この様に、下部材Ｘ、上部材Ｙ、接続部材Ｚからなる棟換気装置Ａ２は、部材に換気口を加工して形成する必要がなく、したがって、下部材Ｘ、上部材Ｙ、接続部材Ｚを押出成形で製造することができるので、大幅なコストダウンが図られる。また、下部材Ｘ及び上部材Ｙを接続部材Ｚにより嵌合してなるので、強度も充分である。遮蔽部１９の効果は実施例１の場合と略同様である。
【００３５】
実施例６
実施例６の棟換気装置Ａ２は、図７に示すように、上部材Ｙの固定部１の両側に、斜降した突縁部６を延設した他は、実施例５に示した棟換気装置Ａ２と同じである。このように、固定部１の両側に斜降した突縁部６を延設することにより、遮蔽部１９と協働して雨や風の侵入をより効果的に防ぐことができる。
【００３６】
実施例７
実施例７の棟換気装置Ａ２は、図８に示すように、下部材Ｘは略垂直に立設された支持部８の外側中位部にＨ形状の接続部材Ｚの受け部９が設けられるとともに、該受け部９より上部の外側に凹凸面１０が設けられている。また、上部材Ｙは頂部内側に係合部１１が設けられるとともに、斜降した突縁部６の端部から、隣接する接続部材Ｚと接続部材Ｚとの間に形成される空間部からなる換気路Ｐ１を覆うように壁部１２が垂設され、更に該壁部１２の下端に内側に曲折した制御壁１３が延設されている。更に、接続部材Ｚは、上端には上部材Ｙの係合部１１と係合する係合部１４が設けられるとともに、下方に係合壁１６、１６ａにより形成される凹部１５が設けられている。そして、接続部材Ｚの係合部１４は上部材Ｙの係合部１１と係合され、また、接続部材Ｚの下方の凹部１５に下部材Ｘの凹凸面１０を有する上部が圧入された構成からなる。
かかる構成の棟換気装置Ａ２は、接続部材Ｚと上部材Ｙとは、係合部１４と係合部１１とが係合することにより、一方、接続部材Ｚと下部材Ｘとは、凹凸面１０を有する上部が凹部１５に圧入することにより、それぞれ物理的に一体化されている。遮蔽部１９の効果は実施例５の場合と略同様であるが、かかる構成の棟換気装置Ａ２は、矢示したようなジグザグ状に換気路Ｐが形成され、外部からの雨や風の侵入を一層効果的に防ぐことができる。なお、本例において、接続部材Ｚの受け部９は省略してもよく、また、凹凸面１０は内側に設けても効果はかわらない。
【００３７】
実施例８
実施例８の棟換気装置Ａ２は、図９に示すように、接続部材Ｚの凹部１５を形成する内側の両係合壁１６ａを伸長し、その下端部で接続部１８を介して接続し、略中間部の接続部１７とで略矩形状の構造体とするとともに、上部材Ｙの壁部１２に制御壁１３ａを設けた他は実施例７の棟換気構造Ａ２と同じである。
上記の如く、接続部材Ｚの下部材Ｘとの係合部分を略矩形状の構造体とすることにより強度が大巾に向上する。遮蔽部１９の効果は実施例７の場合と略同様であるが、制御壁１３ａを設けることにより、矢示したように実施例７の場合に比べて一層ジグザグ状の換気路Ｐが形成され、外部からの雨や風の侵入を尚一層効果的に防ぐことができる。
【００３８】
実施例９
実施例９の棟換気装置Ａ１は、図１０に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１０では垂直部１９ｂの下部）排水口２０を有する略Ｌ字体からなる遮蔽部１９を、門型部材３の換気口２の下部の側壁に設けた他は実施例１と同じである。
【００３９】
実施例１０
実施例１０の棟換気装置Ａ１は、図１１に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１１では斜降部１９ａの先端部）排水口２０を有する略Ｌ字体からなる遮蔽部１９を、門型部材３の換気口２の下部の側壁に設けた他は実施例２と同じである。
【００４０】
実施例１１
実施例１１の棟換気装置Ａ１は、図１２に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１２では斜降部１９ａと垂直部１９ｂとの角部）排水口２０を有する略Ｌ字体からなる遮蔽部１９を、門型部材３の換気口２の下部の側壁に設けた他は実施例３と同じである。
【００４１】
実施例１２
実施例１２の棟換気装置Ａ１は、図１３に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１３では垂直部１９ｂの下部）排水口２０を有する略Ｌ字体からなる遮蔽部１９を、門型部材３の換気口２の下部の側壁に設けた他は実施例４と同じである。
【００４２】
実施例１３
実施例１３の棟換気装置Ａ２は、図１４、図１５に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１４では垂直部１９ｂの下部）排水口２０を有する略Ｌ字体からなる遮蔽部１９を、換気口２の下部材Ｘの側壁に設けた他は実施例５と同じである。尚、垂直部１９ｂは実質的に垂直であればよく、少々左右に傾斜していても差し支えない。
【００４３】
実施例１４
実施例１４の棟換気装置Ａ２は、図１６に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１６では斜降部１９ａの先端部）排水口２０を有する略Ｌ字体からなる遮蔽部１９を、換気口２の下部材Ｘの側壁に設けた他は実施例６と同じである。
【００４４】
実施例１５
実施例１５の棟換気装置Ａ２は、図１７に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１７では斜降部１９ａと垂直部１９ｂとの角部）排水口２０を有する略Ｌ字体からなる遮蔽部１９を、換気口２の下部材Ｘの側壁に設けた他は実施例７と同じである。
【００４５】
実施例１６
実施例１６の棟換気装置Ａ２は、図１８に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１８では垂直部１９ｂの下部）排水口２０を有する略Ｌ字体からなる遮蔽部１９を、換気口２の下部材Ｘの側壁に設けた他は実施例８と同じである。
【００４６】
以上の実施例において、排水口２０は遮蔽部の下部や、斜降部１９ａと垂直部１９ｂとの角部や、斜降部１９ａの先端部にキリ孔等を開けて設けられた例を示したが、棟換気装置の長さ方向の端部（一端部又は両端部）の門型部材と遮蔽部との隙間、又は下部材Ｘと遮蔽部との隙間を塞がずに開放したままとして、これを排水口とすることも可能である。
以上の如き本発明の棟換気装置は、棟瓦と地瓦との隙間から換気する方式の棟換気装置に好適に用いられる。
以下、実施例１の棟換気装置Ａ１及び実施例１６の棟換気装置Ａ２を用い、その代表的な適用例について説明する。
【００４７】
適用例１
図１９に示すように、本発明の棟換気装置Ａ１は、両流れ屋根面を形成する野地板２１の表面に防水シート２２を敷設し、左右対向する野地板２１間の換気用開口部２３を跨ぐように設けられ、棟瓦２４の頂部より、固定手段（図ではビス）２５により固定部１に固定されるとともに、取付部４の固定手段用孔５に固定手段（図ではビス）２６を挿入し、防水シート２２を介して野地板２１に取り付けられる。地瓦２７は棟換気装置Ａ１の取付部４上で遮蔽部１９の近傍部に、棟瓦２４の端縁部２４ａとの間に換気路２８が形成されるように隙間を置いて葺設される。
【００４８】
屋内から上昇してきた空気は、換気用開口部２３から棟換気装置Ａ１の換気口２より、同図右側に実線で矢示する如く、遮蔽部１９を乗り越え、棟瓦２４の端縁部２４ａと地瓦２７との間の換気路２８から外部に排出される。
尚、棟瓦２４の端縁部２４ａと地瓦２７との間の換気路２８に、通気性を有する部材（図示せず）を介在させることもできる。
【００４９】
一方、外部から換気路２８より侵入した雨や風は、同図左側に波線で矢示するように、遮蔽部１９に衝突し、内部への侵入を阻止される。万一、雨が遮蔽部１９の内側に侵入した場合は、遮蔽部１９の下部に設けた排水口２０より防水シート２２の上に排出される。
【００５０】
適用例２
適用例１において、棟換気装置Ａ１を棟換気装置Ａ２に置き換え、地瓦２７をシール材２９を介して、棟換気装置Ａ２の遮蔽部１９の下方で葺設した他は適用例１と同様である。
【００５１】
屋内から上昇してきた空気は、同図右側に実線で矢示する如く、換気用開口部２３から棟換気装置Ａ２の換気路Ｐ１より壁部１２との間をジグザグ状に通過して換気路２８より外部に排出される。
一方、外部から換気路２８より侵入した雨や風は、同図左側に破線で矢示するように、遮蔽部１９又は壁部１２に衝突し、内部への侵入を阻止される。万一、雨が遮蔽部１９の内側に侵入した場合は、排水口２０より地瓦２７の上に排出される。本適用例においては、シール材２９が存在するため、雨が防水シート２２上に排出されることはなく、従って、適用例１の場合に比べ、耐水性に優れた構造である。
尚、シール材２９は、図示したものに替え、遮蔽部１９の斜降部１９ａと地瓦２７との間に介挿してもよい。
【００５２】
【発明の効果】
叙上のように、本発明の棟換気装置Ａ１は、門型部材からなり、該門型部材の上部に固定部を設けたことにより、構造が極めて簡略化され、強度も充分で、更に、遮蔽部を設けたことにより風雨（特に雨）の内部への侵入を阻止することができる。
【００５３】
本発明の棟換気装置Ａ２は、隣接する接続部材と接続部材との間に形成される空間部を換気路とするため、部材に換気口を形成する必要がなく、下部材Ｘ、門型部材Ｙ、接続部材Ｚを押出成形で製造することができるので、大幅なコストダウンが図られる。また、下部材Ｘ及び上部材Ｙを接続部材Ｚにより嵌合してなるので、強度も充分である。更に、遮蔽部を設けたことにより、風雨（特に雨）の内部への侵入を阻止することができる。
【００５４】
更に、本発明の棟換気装置Ａ１、Ａ２は、いずれも棟木を必要とすることなく、棟瓦を上記棟換気装置の固定部に直接固定するので、施工作業性は飛躍的に向上し、安価な棟換気構造を提供することができる。
【図面の簡単な説明】
【図１】棟換気装置の実施例を示す断面図である。
【図２】棟換気装置の他の実施例を示す断面図である。
【図３】棟換気装置の他の実施例を示す断面図である。
【図４】棟換気装置の他の実施例を示す断面図である。
【図５】棟換気装置の他の実施例を示す断面図である。
【図６】図５のＷ−Ｗ線断面図である。
【図７】棟換気装置の他の実施例を示す断面図である。
【図８】棟換気装置の他の実施例を示す断面図である。
【図９】棟換気装置の更に他の実施例を示す断面図である。
【図１０】棟換気装置の更に他の実施例を示す断面図である。
【図１１】棟換気装置の更に他の実施例を示す断面図である。
【図１２】棟換気装置の更に他の実施例を示す断面図である。
【図１３】棟換気装置の更に他の実施例を示す断面図である。
【図１４】棟換気装置の更に他の実施例を示す断面図である。
【図１５】図１４のＷ−Ｗ線断面図である。
【図１６】棟換気装置の他の実施例を示す断面図である。
【図１７】棟換気装置の他の実施例を示す断面図である。
【図１８】棟換気装置の他の実施例を示す断面図である。
【図１９】棟換気装置の適用例を示す概略図である。
【図２０】棟換気装置の他の適用例を示す概略図である。
【図２１】従来の棟換気構造の一例を示す概略図である。
【符号の説明】
１　固定部
２　換気口
３　　門型部材
４　　取付部
５　　固定手段用孔
６　　突縁部
７　　壁部
８　支持部
９　　受け部
１０　　凹凸面
１１　係合部
１２　　壁部
１３、１３ａ　制御壁
１４　　係合部
１５　凹部
１６、１６ａ　係合壁
１７、１８　接続部
１９　遮蔽部
１９ａ　斜降部
１９ｂ　垂直部
２０　排水口
２１　野地板
２２　防水シート
２３　　換気用開口部
２４　　棟瓦
２５　　固定手段（ビス）
２６　　固定手段（ビス）
２７　　地瓦
２８　換気路
２９　　シール材
【図１】
2004036166.tif 000003
【図２】
2004036166.tif 000004
【図３】
2004036166.tif 000005
【図４】
2004036166.tif 000006
【図５】
2004036166.tif 000007
【図６】
2004036166.tif 000008
【図７】
2004036166.tif 000009
【図８】
2004036166.tif 000010
【図９】
2004036166.tif 000011
【図１０】
2004036166.tif 000012
【図１１】
2004036166.tif 000013
【図１２】
2004036166.tif 000014
【図１３】
2004036166.tif 000015
【図１４】
2004036166.tif 000016
【図１５】
2004036166.tif 000017
【図１６】
2004036166.tif 000018
【図１７】
2004036166.tif 000019
【図１８】
2004036166.tif 000020
【図１９】
2004036166.tif 000021
【図２０】
2004036166.tif 000022
【図２１】
2004036166.tif 000023